(57)【要約】【課題】コネクタの誤嵌合をより容易に抑制することができる技術を提供することを目的とする。【解決手段】電線モジュール１０は、コネクタ付電線１２と誤嵌合防止部材３０と、を備える。コネクタ付電線１２は、複数のキャビティ２２が形成されたコネクタハウジング２０と、前記キャビティ２２に挿入される少なくとも１本の端子付電線１４とを含む。誤嵌合防止部材３０は、前記キャビティ２２のうち前記端子付電線１４が挿入されていない空キャビティ２６の少なくとも１つに、誤嵌合の際に相手側端子６４が挿入される領域の少なくとも一部を塞ぐように設けられる。【選択図】図３
2015230864.tif 000002
【特許請求の範囲】
【請求項１】
複数のキャビティが形成されたコネクタハウジングと、前記キャビティに挿入される少なくとも１本の端子付電線とを含むコネクタ付電線と、
前記キャビティのうち前記端子付電線が挿入されていない空キャビティの少なくとも１つに、誤嵌合の際に相手側端子が挿入される領域の少なくとも一部を塞ぐように設けられた誤嵌合防止部材と、
を備える、電線モジュール。
【請求項２】
請求項１に記載の電線モジュールであって、
前記誤嵌合防止部材は、前記相手側端子が挿入される側の開口から前記キャビティの内部に圧入されてはまり込むように形成された圧入部を含む、電線モジュール。
【請求項３】
請求項２に記載の電線モジュールであって、
前記誤嵌合防止部材は、前記圧入部に連なるとともに、前記キャビティの前記相手側端子側の開口が形成された面のうち前記開口以外の部分を覆う面接触部を含む、電線モジュール。
【請求項４】
請求項３に記載の電線モジュールであって、
前記誤嵌合防止部材は、前記キャビティの前記相手側端子が挿入される側の開口を塞ぐように形成された開口塞ぎ部を含む、電線モジュール。
【請求項５】
請求項１に記載の電線モジュールであって、
前記誤嵌合防止部材は、前記端子付電線が挿入される側の開口から前記キャビティの内部にはまり込むように形成されているとともに、その先端面が塞がれているダミー栓部を含む、電線モジュール。
【請求項６】
請求項５に記載の電線モジュールであって、
前記誤嵌合防止部材は、前記ダミー栓部に連なると共に、前記端子付電線が挿入される側の開口から外部に延出する延出部を含む、電線モジュール。
【発明の詳細な説明】
【技術分野】
【０００１】
この発明は、コネクタ同士の誤嵌合を抑制する技術に関する。
【背景技術】
【０００２】
同様の形状をしたコネクタハウジングを複数備える電線モジュールでは、コネクタ同士の誤嵌合が問題になる場合がある。コネクタの誤嵌合を抑制するために、例えば、コネクタごとに突起部の位置を変えると共に、相手側コネクタの嵌合穴の位置を変える等することが考えられる。
【０００３】
また、例えば、特許文献１に記載のコネクタ付きモジュールのように、コネクタに突起部を設けたアタッチメントをつけるとともに、相手側コネクタに前記突起部に応じた嵌合穴を設けたアタッチメントをつけることも考えられる。
【０００４】
また、例えば、特許文献２に記載のコネクタのように、コネクタに破断可能部を設けることも考えられる。
【先行技術文献】
【特許文献】
【０００５】
【特許文献１】特開２０１１−２４９１０２号公報
【特許文献２】特開２００８−４１５６２号公報
【発明の概要】
【発明が解決しようとする課題】
【０００６】
しかしながら、コネクタごとに突起部の位置を変えると共に、相手側コネクタの嵌合穴の位置を変える場合、コネクタごとに金型が必要になり、この分のコストがかかる恐れがある。また、特許文献１に記載のコネクタ付モジュールの場合、両方のコネクタにアタッチメントを設けることが必要となり、この分のコスト及び工数等がかかる恐れがある。また、特許文献２に記載のコネクタの場合、破断可能部が破断された際に、切りくずが生じる恐れがある。
【０００７】
そこで、本発明は、コネクタの誤嵌合をより容易に抑制することができる技術を提供することを目的とする。
【課題を解決するための手段】
【０００８】
上記課題を解決するため、第１の態様に係る電線モジュールは、複数のキャビティが形成されたコネクタハウジングと、前記キャビティに挿入される少なくとも１本の端子付電線とを含むコネクタ付電線と、前記キャビティのうち前記端子付電線が挿入されていない空キャビティの少なくとも１つに、誤嵌合の際に相手側端子が挿入される領域の少なくとも一部を塞ぐように設けられた誤嵌合防止部材と、を備える。
【０００９】
第２の態様に係る電線モジュールは、第１の態様に係る電線モジュールであって、前記誤嵌合防止部材は、前記相手側端子が挿入される側の開口から前記キャビティの内部に圧入されてはまり込むように形成された圧入部を含む。
【００１０】
第３の態様に係る電線モジュールは、第２の態様に係る電線モジュールであって、前記誤嵌合防止部材は、前記圧入部に連なるとともに、前記キャビティの前記相手側端子側の開口が形成された面のうち前記開口以外の部分を覆う面接触部を含む。
【００１１】
第４の態様に係る電線モジュールは、第３の態様に係る電線モジュールであって、前記誤嵌合防止部材は、前記キャビティの前記相手側端子が挿入される側の開口を塞ぐように形成された開口塞ぎ部を含む。
【００１２】
第５の態様に係る電線モジュールは、第１の態様に係る電線モジュールであって、前記誤嵌合防止部材は、前記端子付電線が挿入される側の開口から前記キャビティの内部にはまり込むように形成されているとともに、その先端面が塞がれているダミー栓部を含む。
【００１３】
第６の態様に係る電線モジュールは、第５の態様に係る電線モジュールであって、前記誤嵌合防止部材は、前記ダミー栓部に連なると共に、前記端子付電線が挿入される側の開口から外部に延出する延出部を含む。
【発明の効果】
【００１４】
第１〜第６の態様に係る電線モジュールによると、キャビティのうち端子付電線が挿入されていない空キャビティの少なくとも１つに、誤嵌合の際に相手側端子が挿入される領域の少なくとも一部を塞ぐように設けられた誤嵌合防止部材を備えるため、誤嵌合の際に、相手側端子が誤嵌合防止部材と接触することで、誤嵌合を認識可能となる。これにより、コネクタの誤嵌合をより容易に抑制することができる。
【００１５】
特に、第２の態様に係る電線モジュールによると、相手側端子が挿入される側の開口からキャビティの内部に圧入されてはまり込むように形成された圧入部を含むため、圧入部でコネクタハウジングへの固定と相手側端子の挿入の抑制とを行うことができる。
【００１６】
特に、第３の態様に係る電線モジュールによると、誤嵌合防止部材は、圧入部に連なるとともに、キャビティの相手側端子側の開口が形成された面のうち開口以外の部分を覆う面接触部を含むため、コネクタハウジングが相手側コネクタハウジングに嵌った際にがたつくことを抑制することができる。
【００１７】
特に、第４の態様に係る電線モジュールによると、誤嵌合防止部材がキャビティの相手側コネクタハウジング側の開口を塞ぐように形成された開口塞ぎ部を含むため、圧入部が挿入されたキャビティ以外のキャビティでも相手側端子の挿入を抑制することができる。これにより、相互に誤嵌合を抑制できる電線モジュールの数を増やすことができる。
【００１８】
特に、第５の態様に係る電線モジュールによると、誤嵌合防止部材は、端子付電線が挿入される側の開口からキャビティの内部にはまり込むように形成されているとともに、その先端面が塞がれているダミー栓部を含むため、端子部と同様の形状をもつ部材により誤嵌合を抑制することができる。
【００１９】
特に、第６の態様に係る電線モジュールによると、誤嵌合防止部材は、ダミー栓部に連なると共に、端子付電線が挿入される側の開口から外部に延出する延出部を含むため、延出部を掴んで作業することで誤嵌合防止部材の取り外しを容易に行うことができる。
【図面の簡単な説明】
【００２０】
【図１】第１実施形態に係る電線モジュールを示す斜視図である。
【図２】第１実施形態に係る電線モジュールを相手側コネクタハウジング側から見た概略正面図である。
【図３】図２のＩＩＩ−ＩＩＩ線に沿って切断した断面図である。
【図４】第１実施形態に係る誤嵌合防止部材を示す斜視図である。
【図５】２つの電線モジュール間で相互の誤嵌合を抑制できる組み合わせの例を説明する図である。
【図６】第１実施形態に係る電線モジュールにおいて、誤嵌合を防いでいる様子を説明する図である。
【図７】２つの電線モジュール間で一方の誤嵌合のみを抑制できる組み合わせの例を説明する図である。
【図８】第２実施形態に係る電線モジュールを相手側コネクタハウジング側から見た概略正面図である。
【図９】第２実施形態に係る誤嵌合防止部材を示す斜視図である。
【図１０】第３実施形態に係る電線モジュールを示す断面図である。
【図１１】第３実施形態に係る誤嵌合防止部材を示す斜視図である。
【発明を実施するための形態】
【００２１】
｛第１実施形態｝
以下、第１実施形態に係る電線モジュール１０について説明する。図１は、第１実施形態に係る電線モジュール１０を示す斜視図である。図２は、第１実施形態に係る電線モジュール１０を相手側コネクタハウジング６６側から見た概略正面図である。図３は、図２のＩＩＩ−ＩＩＩ線に沿って切断した断面図である。
【００２２】
第１実施形態に係る電線モジュール１０は、コネクタ付電線１２と、誤嵌合防止部材３０とを備える。電線モジュール１０は相手側コネクタ付電線６０に接続される。
【００２３】
コネクタ付電線１２は、コネクタハウジング２０と端子付電線１４とを含む。
【００２４】
端子付電線１４は、コネクタハウジング２０の後述するキャビティ２２に挿入されている。端子付電線１４は、少なくとも１本含まれている。また、端子付電線１４は、キャビティ２２の数よりも少なくなるように設定されている。端子付電線１４は、電線１６と端子１８とを含む。
【００２５】
電線１６は、芯線の外周に樹脂が押出被覆等されることで被覆部が形成された構成とされている。電線１６は、車両等の配設対象箇所に配設された状態で、車両等に搭載された各種電気機器同士を電気的に接続するものとして用いられる。
【００２６】
端子１８は、電線１６の端部に設けられている。端子１８は、相手側コネクタハウジング６６に保持された相手側端子付電線６２の相手側端子６４と電気的に接続される。ここでは、端子１８は、固定部と接続部とを含む。固定部は、圧着等により電線１６に固定される。接続部は、相手側端子６４と電気的に接続される部分である。
【００２７】
コネクタハウジング２０には、複数のキャビティ２２が形成されている。ここでは、コネクタハウジング２０には、１段に４つのキャビティ２２が２段分形成されている例で説明するが、キャビティ２２の数及び配列等はこれに限られるものではなく、適宜設定される。
【００２８】
キャビティ２２は、端子付電線１４の端子１８が挿入可能な形状に形成されている。また、ここでは、キャビティ２２は、端子１８の位置を規制可能に形成されている。
【００２９】
具体的には、キャビティ２２は、コネクタハウジング２０の一方の面から反対側の面にかけて貫通する貫通孔状に形成されている。この際に、貫通孔が、端子１８よりも大きく設定されることで、キャビティ２２に端子１８を挿入可能となっている。以下では、貫通孔の２つの開口のうち、端子付電線１４が挿入される側の開口を一方側開口２３と呼び、反対側の開口を他方側開口２４と呼ぶ。他方側開口２４からは、電線モジュール１０が相手側コネクタ付電線６０と嵌った際に、相手側コネクタハウジング６６に挿入された相手側端子６４の先端が挿入され、端子１８と接続される。
【００３０】
キャビティ２２の中間部分の内周面には、段差部２８が設けられている。段差部２８にキャビティ２２に挿入された端子付電線１４の端子１８の先端が当接することで、端子１８が段差部２８よりも奥まで挿入されることを抑制している。
【００３１】
また、コネクタハウジング２０には、キャビティ２２のうち段差部２８よりも一方側開口２３側の内周面から他方側開口２４に向かって突出するように突起部２９が形成されている。突起部２９は、端子１８が一方側開口２３からキャビティ２２内に挿入される際に弾性変形可能に形成されている。そして、端子１８が所定の位置まで挿入されると、突起部２９が弾性変形の状態から元に戻り、端子１８に後ろから当接することにより、端子１８を抜止状に保持可能となる。
【００３２】
キャビティ２２と端子付電線１４とに関して、上述したように、端子付電線１４の数がキャビティ２２の数よりも少なくなるように設定されているため、複数のキャビティ２２のうち端子付電線１４が挿入されていないキャビティ２２（以下、空キャビティ２６と呼ぶ）が少なくとも１つ存在している。ここでは、キャビティ２２が８つ、端子付電線１４が７本に設定されているため、空キャビティ２６が１つ存在している。この空キャビティ２６に誤嵌合防止部材３０が設けられる。
【００３３】
なお、ここでは、図２の相手側コネクタハウジング６６側から見たコネクタハウジング２０の正面視において、右上のキャビティ２２のみ空キャビティ２６になっている。もっとも、空キャビティ２６の数及び位置はこれに限定されるものではない。誤嵌合を抑制したい複数の電線モジュール間で、異なる位置に空キャビティ２６が存在するように設定されていることが好ましい。
【００３４】
次に、空キャビティ２６に設けられる誤嵌合防止部材３０について説明する。図４は、第１実施形態に係る誤嵌合防止部材３０を示す斜視図である。
【００３５】
誤嵌合防止部材３０は、キャビティ２２のうち端子付電線１４が挿入されていない空キャビティ２６の少なくとも１つに、誤嵌合の際に相手側端子６４が挿入される領域の少なくとも一部を塞ぐように設けられている。ここでは、誤嵌合防止部材３０は、圧入部３２を含む。さらにここでは、誤嵌合防止部材３０は、面接触部３４を含む。
【００３６】
圧入部３２は、相手側端子６４が挿入される側の開口（他方側開口２４）からキャビティ２２の内部に圧入されてはまり込むように形成されている。
【００３７】
具体的には、圧入部３２の周方向の外形は、キャビティ２２の内周よりも大きく設定されている。そして、圧入部３２は、他方側開口２４から弾性変形又は塑性変形を伴いながらキャビティ２２の内部へ挿入される。このため、圧入部３２がキャビティ２２に挿入されると、圧入部３２がキャビティ２２の内周面に密着固定する。これにより、誤嵌合防止部材３０がコネクタハウジング２０に固定される。
【００３８】
また、圧入部３２は、キャビティ２２の他方側開口２４から段差部２８までの寸法と同じかそれよりも大きい奥行寸法を有している。これにより、圧入部３２の先端が段差部２８と接することで、圧入が完了したことを認識可能となる。さらに、コネクタハウジング２０と接触する領域が大きくなるため、圧入部３２がキャビティ２２から抜けにくくなる。ここでは、圧入部３２は、キャビティ２２の他方側開口２４から段差部２８までの寸法よりも若干大きい奥行寸法に設定され、他方側開口２４から突出する部分の周囲に後述する面接触部３４が連なっている。
【００３９】
もっとも、圧入部３２の奥行寸法が、キャビティ２２の他方側開口２４から段差部２８までの寸法と同じかそれよりも大きいことは必須ではない。圧入部３２の奥行寸法が、キャビティ２２の他方側開口２４から段差部２８までの寸法よりも小さく設定され、圧入部３２の先端が段差部２８まで達していなくてもよい。
【００４０】
面接触部３４は、圧入部３２に連なるとともに、キャビティ２２の相手側端子６４が挿入される側の開口（他方側開口２４）が形成された面のうち開口２４以外の部分を覆うように形成されている。より具体的には、面接触部３４のコネクタハウジング２０側の面及び相手側コネクタハウジング６６側の面は、接触するコネクタハウジング２０及び相手側コネクタハウジング６６の面にそれぞれ沿った形状に形成され、それぞれ面接触可能に形成されている。これにより、コネクタハウジング２０が相手側コネクタハウジング６６に嵌った際に、面接触部３４が相手側コネクタハウジング６６に面接触することで、コネクタハウジング２０，６６同士ががたつくことを抑制することができる。また、面接触部３４がキャビティ２２の外側に出ているため、作業者は、面接触部３４を掴むことで誤嵌合防止部材３０の圧入部３２をキャビティ２２に出し入れしやすくなる。
【００４１】
この際に、面接触部３４のうち圧入部３２が設けられる部分以外では、コネクタハウジング２０の他方側開口２４の位置に貫通孔３３が形成される。この貫通孔３３を通して、相手側端子６４がキャビティ２２内に進入し、端子１８と接続可能となる。つまり、貫通孔３３が形成されることで、面接触部３４が他のキャビティ２２の端子１８の出入りを邪魔することを抑えることができる。
【００４２】
なお、面接触部３４の厚みは、誤嵌合防止部材３０が設けられていないときにコネクタハウジング２０が相手側コネクタハウジング６６に嵌った状態で、両者の間に生じる隙間の寸法以内であることが好ましい。これにより、コネクタハウジング２０と相手側コネクタハウジング６６との嵌合を阻害することを抑えることができることによって、端子１８と相手側端子６４との接続不良等を抑えることができる。
【００４３】
もっとも、誤嵌合防止部材３０が圧入部３２を含むことは必須ではない。例えば、他方側開口２４に蓋をする蓋状部材をテープまたは接着剤等でコネクタハウジング２０に固定することで誤嵌合防止部材３０を構成していてもよい。また、誤嵌合防止部材３０は、後述する第３実施形態に係る誤嵌合防止部材３０のように、一方側開口２３から挿入されるものであってもよい。
【００４４】
また、誤嵌合防止部材３０が圧入部３２を含む場合でも、誤嵌合防止部材３０が面接触部３４を含むことは必須ではない。誤嵌合防止部は、圧入部３２のみを含んでいてもよい。この場合、圧入部３２は、空キャビティ２６に取り外しができないように、いわゆる嵌め殺し状に取り付けられていてもよい。
【００４５】
なお、ここでは、空キャビティ２６が１つしかないため圧入部３２は１つしか設けられていないが、空キャビティ２６が複数ある場合、圧入部３２は複数設けられていてもよい。圧入部３２が複数設けられることで、誤嵌合防止部材３０がより確実にキャビティ２２から抜けにくくなる。さらに、圧入部３２が複数設けられる場合、なるべく離れた空キャビティ２６の位置に圧入部３２が設けられることが好ましい。これにより、誤嵌合防止部材３０がより確実にキャビティ２２に固定可能となるとともに、面接触部３４がめくれることを抑えることができる。
【００４６】
＜誤嵌合の抑制＞
次に、複数（ここでは、２つ）の電線モジュール間で誤嵌合を抑制可能な組み合わせについて説明する。ここでは、実施形態に係る電線モジュール１０を用いて、他の電線モジュール１０Ａ（１０Ｂ）との誤嵌合を抑制可能な例について説明する。この場合、２つの電線モジュール１０，１０Ａ（１０Ｂ）間で相互の誤嵌合を抑制できる場合と、一方の誤嵌合のみを抑制できる場合とがある。
【００４７】
まず、２つの電線モジュール１０，１０Ａ間で相互の誤嵌合を抑制できる場合について説明する。図５は、２つの電線モジュール１０，１０Ａ間で相互の誤嵌合を抑制できる組み合わせの例を説明する図である。図６は、第１実施形態に係る電線モジュール１０において、誤嵌合を防いでいる様子を説明する図である。
【００４８】
図５において、右上に位置するのが実施形態に係る電線モジュール１０であり、その下に位置するのが、電線モジュール１０とは異なる空キャビティ２６の位置に圧入部が設けられた誤嵌合防止部材が取り付けられている電線モジュール１０Ａである。左側に位置するのが、右隣りの電線モジュール１０，１０Ａにそれぞれ嵌合する相手側コネクタ付電線６０，６０Ａである。
【００４９】
なお、図５の相手側コネクタ付電線６０，６０Ａは、電線モジュール１０，１０Ａ側から見た概略正面図となっている。このため、図５の電線モジュール１０，１０Ａの空キャビティの位置と相手側コネクタ付電線６０，６０Ａの空キャビティの位置とは、線対称になっている（図７でも同様）。また、図５において、電線モジュール１０，１０Ａと相手側コネクタ付電線６０，６０Ａとの組み合わせにおいて、嵌合可能な場合は矢印に丸印を付して表し、嵌合できない場合（嵌合が抑制される場合）は矢印にバツ印を付して表している（図７でも同様）。
【００５０】
図５のように、２つの電線モジュール１０，１０Ａ間で、異なる位置に空キャビティ２６が存在するとともに、その異なる位置の空キャビティ２６にそれぞれ誤嵌合防止部材３０が設けられていると、２つの電線モジュール１０，１０Ａ間での相互の誤嵌合を抑制できる。
【００５１】
具体的には、電線モジュール１０と相手側コネクタ付電線６０Ａとを嵌合させようとすると、図６のように、相手側コネクタ付電線６０Ａの相手側端子６４が確実に誤嵌合防止部材３０に当接し挿入不可となり、誤嵌合が抑制される。電線モジュール１０Ａと相手側コネクタ付電線６０とを嵌合させようとした場合も、同様に、相手側コネクタ付電線６０の相手側端子６４が確実に誤嵌合防止部材に当接し挿入不可となり、誤嵌合が抑制される。
【００５２】
なお、互いに誤嵌合を抑制できる電線モジュールの組み合わせの数は、キャビティ２２の数、空キャビティ２６の数及び空キャビティ２６に誤嵌合防止部材３０が設けられるか否かによる。例えば、実施形態に係る電線モジュール１０の場合、８つのキャビティ２２のうち空キャビティ２６が同じく１つであって、空キャビティ２６の位置が互いに異なり、それぞれの空キャビティ２６に誤嵌合防止部材が設けられている他の７つの電線モジュールとの誤嵌合を相互に抑制することができる。つまり、８つの電線モジュールにおいてどの２つを選んでも相互に誤嵌合を抑制できる。
【００５３】
また、例えば、後述する第２実施形態に係る電線モジュール１０Ｃのように８つのキャビティ２２のうち２つの空きキャビティ２２を塞ぐように誤嵌合防止部材３０Ｃが設けられる場合、８つのキャビティ２２のうち２つのキャビティ２２を選ぶ組み合わせと等しい２８種類の電線モジュールにおいて、どの２つを選んでも相互に誤嵌合を抑制できる。
【００５４】
以上は、空キャビティ２６の数が同じであり、すべての空キャビティ２６に誤嵌合防止部材が設けられる場合についてである。この場合、空キャビティ２６の位置が異なっていれば確実に２つの電線モジュール間について相互の誤嵌合を抑制することができる。
【００５５】
次に、２つの電線モジュール１０，１０Ｂ間で一方の誤嵌合のみを抑制できる場合について説明する。図７は、２つの電線モジュール１０，１０Ｂ間で、一方の誤嵌合のみを抑制できる組み合わせの例を説明する図である。
【００５６】
図７において、右上に位置するのが実施形態に係る電線モジュール１０であり、その下に位置するのが、空キャビティ２６のない電線モジュール１０Ｂである。左側に位置するのが、右隣りの電線モジュール１０，１０Ｂにそれぞれ嵌合する相手側コネクタ付電線６０，６０Ｂである。
【００５７】
電線モジュール１０と、空キャビティ２６のない電線モジュール１０Ｂに嵌合される相手側コネクタ付電線６０Ｂとを嵌合させようとした場合には、先ほどと同様に、図６のように、相手側コネクタ付電線６０Ｂの相手側端子６４が誤嵌合防止部材３０に当接し挿入不可となり、誤嵌合が抑制される。
【００５８】
一方、空キャビティ２６のない電線モジュール１０Ｂに対して、実施形態に係る電線モジュール１０に嵌合される相手側コネクタ付電線６０は嵌合可能であり、誤嵌合される恐れがある。
【００５９】
なお、２つの電線モジュール間で一方の誤嵌合のみを抑制可能な他の例として、後述する第２実施形態に係る電線モジュール１０Ｃと、電線モジュール１０Ｃと２つの空キャビティ２６のうち一方の空キャビティ２６の位置は同じであるが、他方の空キャビティ２６の位置は異なり、２つの空キャビティ２６のうち電線モジュール１０Ｃと同じ位置にある一方の空キャビティ２６にのみ誤嵌合防止部材が設けられている他の電線モジュールとの組み合わせ等があげられる。この場合、他の電線モジュールに対応する相手側コネクタ付電線を第２実施形態に係る電線モジュール１０Ｃに嵌合させることはできないが、第２実施形態に係る電線モジュール１０Ｃに対応する相手側コネクタ付電線を他の電線モジュールに嵌合させることはできる。
【００６０】
このように、空キャビティ２６の数及び各空キャビティ２６に誤嵌合防止部材が設けられるか否かによっては、２つの電線モジュール間で一方の誤嵌合のみを抑制可能な場合も存在する。
【００６１】
しかしながら、２つの電線モジュール間で一方の誤嵌合のみを抑制可能な場合でも、誤嵌合が発生する（図７において、電線モジュール１０Ｂと相手側コネクタ付電線６０が先に嵌合する）と、最終的に嵌合できないペアが残る（図７において、電線モジュール１０と相手側コネクタ付電線６０Ｂが残る）ため、誤嵌合が発生していることに気づくことができる。
【００６２】
なお、この際に、一方にのみ嵌合可能な電線モジュール（図７の場合、電線モジュール１０）から先に嵌合させると、確実に２つの電線モジュール間の誤嵌合を抑制することができ、誤嵌合してしまった電線モジュールを正しい嵌合相手に嵌合しなおす手間を省くことができる。
【００６３】
第１実施形態に係る電線モジュール１０によると、キャビティ２２のうち端子付電線１４が挿入されていない空キャビティ２６の少なくとも１つに、誤嵌合の際に相手側端子６４が挿入される領域の少なくとも一部を塞ぐように設けられた誤嵌合防止部材３０を備えるため、誤嵌合の際に、相手側端子６４が誤嵌合防止部材３０と接触することで、誤嵌合を認識可能となる。これにより、コネクタの誤嵌合をより容易に抑制することができる。
【００６４】
また、相手側端子６４が挿入される側の開口からキャビティ２２の内部に圧入されてはまり込むように形成された圧入部３２を含むため、圧入部３２でコネクタハウジング２０への固定と相手側端子６４の挿入の抑制とを行うことができる。
【００６５】
また、誤嵌合防止部材３０は、圧入部３２に連なるとともに、キャビティ２２の相手側端子６４側の開口が形成された面のうち開口以外の部分を覆う面接触部３４を含むため、コネクタハウジング２０が相手側コネクタハウジング６６に嵌った際にがたつくことを抑制することができる。
【００６６】
｛第２実施形態｝
次に、第２実施形態に係る電線モジュール１０Ｃについて説明する。図８は、第２実施形態に係る電線モジュール１０Ｃを相手側コネクタハウジング側から見た概略正面図である。なお、本実施形態の説明において、第１実施形態で説明したものと同様構成要素については同一符号を付してその説明を省略する（以下の第３実施形態でも同様）。
【００６７】
第２実施形態に係る電線モジュール１０Ｃは、誤嵌合防止部材３０のＣ形状が第１実施形態に係る電線モジュール１０の誤嵌合防止部材３０の形状とは異なる。
【００６８】
図９は、第２実施形態に係る誤嵌合防止部材３０Ｃを示す斜視図である。具体的には、誤嵌合防止部材３０Ｃは、第１実施形態に係る誤嵌合防止部材３０の構成に加えて、さらに開口塞ぎ部３５を含む。
【００６９】
開口塞ぎ部３５は、キャビティ２２の相手側端子６４が挿入される側の開口（他方側開口２４）を塞ぐように形成されている。より具体的には、開口塞ぎ部３５は、面接触部３４に形成された貫通孔３３の一部が塞がれるように、貫通孔３３の位置に充填される部分又は部材が存在することで形成されている。
【００７０】
開口塞ぎ部３５としては、例えば、面接触部３４を含む誤嵌合防止部材３０Ｃを作成する際に、貫通孔３３ができないように貫通孔３３の位置にも材料を充填し、面接触部３４と一体的に形成されてもよい。また、例えば、いったん貫通孔３３が形成された面接触部３４を作成してから、面接触部３４の貫通孔３３を塞ぐ別の部材を設けてもよい。
【００７１】
第２実施形態に係る電線モジュール１０Ｃによっても、第１実施形態に係る電線モジュール１０と同様の効果を得ることができる。
【００７２】
また、第２実施形態に係る電線モジュール１０Ｃによると、誤嵌合防止部材３０Ｃがキャビティ２２の相手側コネクタハウジング６６側の開口を塞ぐように形成された開口塞ぎ部３５を含むため、圧入部３２が挿入された空キャビティ２６以外の空キャビティ２６でも相手側端子６４の挿入を抑制することができる。これにより、相互に誤嵌合を抑制できる電線モジュールの種類を増やすことができる。
【００７３】
｛第３実施形態｝
次に、第３実施形態に係る電線モジュール１０Ｄについて説明する。図１０は、第３実施形態に係る電線モジュール１０Ｄを示す断面図である。
【００７４】
第３実施形態に係る電線モジュール１０Ｄは、誤嵌合防止部材３０Ｄの形状が、第１実施形態に係る電線モジュール１０の誤嵌合防止部材３０の形状とは異なる。
【００７５】
図１１は、第３実施形態に係る誤嵌合防止部材３０Ｄを示す斜視図である。ここでは、誤嵌合防止部材３０Ｄは、ダミー栓部３６を含む。さらにここでは、誤嵌合防止部材３０は、延出部３８を含む。
【００７６】
ダミー栓部３６は、端子付電線１４が挿入される側の開口（一方側開口２３）からキャビティ２２（空キャビティ２６）の内部にはまり込むように形成されている。ダミー栓部３６は、端子付電線１４の端子１８と同様の構成により、キャビティ２２にはまり込むように形成されている。具体的には、ダミー栓部３６は、端子１８と同程度の奥行寸法を有しているとともに、ダミー栓部３６の外形は、ダミー栓部３６がキャビティ２２における端子１８の所定の位置まで挿入された状態でダミー栓部３６の先端が段差部２８に接するとともに、突起部２９がダミー栓部３６に後ろから当接するように形成されている。
【００７７】
ここで、ダミー栓部３６は端子１８とは異なり、その先端面に開口が設けられておらず、先端面が壁状に形成されている。より詳しくは、端子１８は、通常、相手側端子６４と接続するために、先端の面に相手側端子６４が挿入可能な開口が形成されている。しかしながら、ダミー栓部３６は、端子１８とは異なり、この開口が形成されていない。このため、ダミー栓部３６は、その先端から相手側端子６４が挿入不可能とされている。
【００７８】
延出部３８は、ダミー栓部３６に連なると共に、端子付電線１４が挿入される側の開口（一方側開口２３）から外部に延出するように形成されている。作業者は、延出部３８を掴んで、ダミー栓部３６を空キャビティ２６の奥まで挿入することができる。また、空キャビティ２６に挿入されたダミー栓部３６を抜き出すことができる。ここでは、延出部３８は、ダミー栓部３６の後端側の一部からダミー栓部３６の延在方向に沿って突出する態様で形成されている。
【００７９】
もっとも、誤嵌合防止部材３０Ｄが延出部３８を含むことは必須ではない。誤嵌合防止部材が延出部３８を含まない場合、ダミー栓部３６は、空キャビティ２６に取り外しできないように、嵌め殺し状に取り付けられる。
【００８０】
第３実施形態に係る電線モジュール１０Ｄによっても、キャビティ２２のうち端子付電線１４が挿入されていない空キャビティ２６の少なくとも１つに、誤嵌合の際に相手側端子６４が挿入される領域の少なくとも一部を塞ぐように設けられた誤嵌合防止部材３０Ｄを備えるため、誤嵌合の際に、相手側端子６４が誤嵌合防止部材３０Ｄと接触することで、誤嵌合を認識可能となる。これにより、コネクタの誤嵌合をより容易に抑制することができる。
【００８１】
さらに、第３実施形態に係る電線モジュール１０Ｄによると、誤嵌合防止部材３０Ｄは、端子付電線１４が挿入される側の開口からキャビティ２２の内部はまり込むように形成されているとともに、その先端面が塞がれているダミー栓部３６を含むため、端子１８と同様の形状をもつ部材により誤嵌合を抑制することができる。
【００８２】
また、誤嵌合防止部材３０Ｄは、ダミー栓部３６に連なると共に、端子付電線１４が挿入される側の開口から外部に延出する延出部３８を含むため、延出部３８を掴んで作業することで誤嵌合防止部材３０Ｄの取り外しを容易に行うことができる。
【００８３】
なお、上記各実施形態で説明した各構成は、相互に矛盾しない限り適宜組み合わせることができる。
【００８４】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８５】
１０，１０Ａ，１０Ｂ，１０Ｃ，１０Ｄ  電線モジュール
１２  コネクタ付電線
１４  端子付電線
１６  電線
１８  端子
２０  コネクタハウジング
２２  キャビティ
２６  空キャビティ
３０，３０Ｃ，３０Ｄ  誤嵌合防止部材
３２  圧入部
３４  面接触部
３５  開口塞ぎ部
３６  ダミー栓部
３８  延出部
６０，６０Ａ，６０Ｂ  相手側コネクタ付電線
６２  相手側端子付電線
６４  相手側端子
６６  相手側コネクタハウジング
【図１】
2015230864.tif 000003
【図２】
2015230864.tif 000004
【図３】
2015230864.tif 000005
【図４】
2015230864.tif 000006
【図５】
2015230864.tif 000007
【図６】
2015230864.tif 000008
【図７】
2015230864.tif 000009
【図８】
2015230864.tif 000010
【図９】
2015230864.tif 000011
【図１０】
2015230864.tif 000012
【図１１】
2015230864.tif 000013